(57)【要約】【課題】  金券発行元から加盟店に対する金券代金の精算で、異なる金融機関間での資金移動を少なくし効率的な処理が行なえる金券代金の支払処理方法を提供する。【解決手段】  第１金融機関に第１加盟店口座と第１金券発行元口座とを有し、また第２金融機関に第２加盟店口座と第２金券発行元口座とを有し、第１加盟店端末から第三者機関の管理サーバに金券情報を送信し、第２加盟店端末から第三者機関の管理サーバに金券情報を送信し、第三者機関の管理サーバで、第１及び第２加盟店端末から受信した金券情報に基づき代金相殺精算データを生成し、第三者機関の管理サーバから幹事金融機関のサーバに代金相殺精算データを送信し、幹事金融機関が代金相殺精算データに基づき第１及び第２金融機関に対して相殺後の精算処理を行なう。【選択図】        図１
2006285711.tif 000002
【特許請求の範囲】
【請求項１】
第１金融機関に、第１加盟店口座と第１金券発行元口座とを有し、また第２金融機関に、第２加盟店口座と第２金券発行元口座とを有し、金券発行元から加盟店に対する金券代金の精算処理を金融機関により行なう金券代金の支払処理方法であって、
前記第１加盟店端末から第三者機関の管理サーバに、金券情報を送信するステップと、
前記第２加盟店端末から前記第三者機関の管理サーバに、金券情報を送信するステップと、
前記第三者機関の管理サーバにおいて、前記第１加盟店端末及び前記第２加盟店端末から受信した金券情報に基づき代金相殺精算データを生成するステップと、
前記第三者機関の管理サーバから幹事金融機関のサーバに対して、前記代金相殺精算データを送信するステップと、
前記幹事金融機関が前記代金相殺精算データに基づき第１金融機関及び第２金融機関に対して、相殺後の精算処理を行なうステップと、
を有することを特徴とする金券代金の支払処理方法。
【発明の詳細な説明】
【技術分野】
【０００１】
本発明は、金券発行元から金券代金の請求を行なう加盟店に対し、その金券代金の支払処理を金融機関により行なう場合の金券代金の支払処理方法に関する。
【背景技術】
【０００２】
従来、例えば、商品券、ギフトカード、旅行券、食事券、ビール券、アイスクリーム券、図書券、文具券、など金銭的な価値を有する種々の金券が多種類発行されている。
これらの金券は、贈答用やプレゼントとして使用されたりすることも多いことから、利用者ができるだけ多くの商店で共通して使用できるように、それらの金券を取り扱う加盟店を増やすようにして利便性を高めるようにしている。
【０００３】
また、顧客が代金の代わりに店などに対して支払った金券は、店側からその金券を発行した発行元である金券発行元に送られて、その金券額に応じた金銭の支払いを金券発行元に請求し、金券発行元から店側にそれらの金銭を支払うことで金券代金の精算支払処理が行なわれる。
この金券代金の精算支払処理においては、金融機関の口座振替振込処理などにより、金券発行元の口座から加盟店の口座に対する支払いにより精算が行なわれている。
これらの処理では、異なる金融機関の間での振込支払や、同一金融機関内の口座間での振替支払処理など様々であるが、異なる金融機関の間での振込支払処理を相殺できる場合であっても、１つ１つの振込支払処理を行なうために、異なる金融機関の間での資金移動が複雑となり効率的でないという問題がある。
【０００４】
例えば、図４に示すように、第１金融機関に、第１加盟店口座と第１金券発行元口座とを有し、また第２金融機関に、第２加盟店口座と第２金券発行元口座とを有する場合であって、第１加盟店が第２金券発行元に対して５０万円の金券代金の支払請求を行い、また、第２加盟店が第１金券発行元に対して１００万円の金券代金の支払請求を行なっているとする。
この場合には、第１金融機関の第１金券発行元口座から第２金融機関の第２加盟店口座に対して、１００万円の振込支払いが行なわれ、また、第２金融機関の第２金券発行元口座から第１金融機関の第１加盟店口座に対して、５０万円の振込支払いが行なわれる。
つまり、第１金融機関と第２金融機関の間での資金移動を相殺すると、第１金融機関から第２金融機関へ５０万円だけを振込支払処理すればよいが、従来の処理では、異なる金融機関の間での資金移動が２回も行なうことが必要となり、効率が悪いという問題がある。
【０００５】
また、従来の金券処理システムにおいて、金券類の券番号を読み取って、予め登録されている券番号と照合することで、金券類の回収処理や真偽判別を行うシステムが既に公知となっているが、金券代金の精算支払処理を効率的に行なうという技術はなかった。（例えば、特許文献１参照）
【特許文献１】特開平１０−３４０３６８号公報
【発明の開示】
【発明が解決しようとする課題】
【０００６】
本発明は、金券発行元から加盟店に対する金券代金の精算支払処理を、金融機関を利用して行なう場合において、金券代金の支払いに伴い異なる金融機関の間での資金移動を最小限に抑えることができるようにして、金融機関での処理を効率的に行なえるようにした金券代金の支払処理方法を提供する。
【課題を解決するための手段】
【０００７】
本発明の金券代金の支払処理方法は、第１金融機関に、第１加盟店口座と第１金券発行元口座とを有し、また第２金融機関に、第２加盟店口座と第２金券発行元口座とを有し、金券発行元から加盟店に対する金券代金の精算処理を金融機関により行なう金券代金の支払処理方法であって、前記第１加盟店端末から第三者機関の管理サーバに金券情報を送信するステップと、前記第２加盟店端末から前記第三者機関の管理サーバに金券情報を送信するステップと、前記第三者機関の管理サーバにおいて、前記第１加盟店端末及び前記第２加盟店端末から受信した金券情報に基づき代金相殺精算データを生成するステップと、前記第三者機関の管理サーバから幹事金融機関のサーバに対して、前記代金相殺精算データを送信するステップと、前記幹事金融機関が前記代金相殺精算データに基づき第１金融機関及び第２金融機関に対して、相殺後の精算処理を行なうステップと、を有することを特徴とする。
【発明の効果】
【０００８】
本発明の金券代金の支払処理方法は、異なる金融機関の間で相殺できる場合や、同一金融機関内にある口座間での振替支払処理が可能な場合について、予め第三者機関の管理サーバにおいて相殺精算データの生成を行なうと共に、幹事金融機関が各金融機関に対して相殺精算データに基づく処理を行なえるので、金券代金の支払処理に伴う異なる金融機関の間での資金移動を最小限に抑えることができ効率的な処理を行なうことができるという効果がある。
【発明を実施するための最良の形態】
【０００９】
以下、本発明の実施の形態を図面に基づいて詳細に説明する。
図１は、本発明の実施形態に係る金券代金の支払処理方法に関するシステム構成の概要を説明する図、図２は、本発明の実施形態に係る金券代金の支払処理方法の処理に関する説明図、図３は、本発明の実施形態に係る金券代金の支払処理方法の処理手順を示すフローチャート図、図４は、従来の支払処理方法について説明する図である。
【００１０】
まず、本発明の実施形態に係る金券代金の支払処理方法に適応するシステム構成を、図１に基づいて説明する。
図１には、２つの異なる第１加盟店１ａと第２加盟店１ｂとがそれぞれ顧客から受け取った金券について、その金券代金の支払いを金融機関の口座を利用して行なう場合のシステム構成が示されている。
第１加盟店１ａには、第１の端末２ａが備えられ、また第２加盟店１ｂには、第２の端末２ｂが備えられ、それぞれの端末２ａ，２ｂは、通信回線３を介して第三者機関４の管理サーバ５と、幹事金融機関６の管理サーバ７と、第１金融機関８ａのホストコンピュータ９ａと、第２金融機関８ｂのホストコンピュータ９ｂと通信可能に接続されている。
【００１１】
第１金融機関８ａのホストコンピュータ９ａには、第１加盟店口座１０と第１金券発行元口座１１とが開設され、第１加盟店に対する金券代金の振替振込支払には、この口座１０に払い込むことになっている。
また、第２金融機関８ｂのホストコンピュータ９ｂには、第２加盟店口座１２と第２の金券発行元口座１３とが開設され、第２加盟店に対する金券代金の振替支払には、この口座１２に払い込むことになっている。
【００１２】
第三者機関４の管理サーバ５は、第１加盟店及び第２加盟店から受信した金券情報に基づいて売上精算データの生成と、相殺精算データの生成と、生成した相殺精算データを幹事金融機関６の管理サーバ７へ送信する機能を有している。
【００１３】
また、幹事金融機関６は、第１金融機関８ａ及び第２金融機関８ｂに対して、加盟店への金券代金の支払処理に関する指示情報を一元化して管理し、必要に応じてそれらの指示情報を個々の金融機関に送信する。
更に、個々の金融機関は、幹事金融機関６からの指示情報に基づく支払処理などを行なうことで、異なる金融機関間における効率的な処理が行なえるようにしてある。
【００１４】
図２に示すように、第１加盟店１ａは、金券代金の支払請求情報を第１の端末２ａを使用して第三者機関４の管理サーバ５に対して送信する。
また、第２加盟店１ｂは、金券情報を第２の端末２ｂを使用して、第三者機関４の管理サーバ５に対して送信する。
管理サーバ５に送信する金券情報とは、第１加盟店１ａまたは第２加盟店１ｂが、顧客から代金の代わりに受け取った金券の金券番号などの金券取引データに基づき、その金券の代金の支払いを請求するための情報である。
第三者機関４の管理サーバ５は、金券を取り扱う多くの加盟店の端末と通信可能に接続され、随時に加盟店の端末から管理サーバ５に対して金券情報が送信されてくる。
【００１５】
第三者機関４の管理サーバ５は、金券を取り扱う多くの加盟店の端末から受信した金券情報をデータベース化して登録し、予め月毎に定められた処理日に、その１ヵ月分に受信した金券代金の支払請求情報をまとめて処理する機能を有している。
第三者機関４の管理サーバ５での処理は、受信した金券情報から売上請求データが生成され、更にその売上請求データに基づいて、異なる金融機関の間での相殺処理が可能な案件がある場合に、それらの相殺処理を行なった後の相殺精算データの生成が行なわれる。
そして、第三者機関４の管理サーバ５から幹事金融機関６の管理サーバ７に対して、それらの相殺精算データが送信される。
【００１６】
幹事金融機関６の管理サーバ７は、第三者機関４の管理サーバ５から受信した相殺精算データに基づいて、第１金融機関８ａのホストコンピュータ９ａ及び第２金融機関８ｂのホストコンピュータ９ｂに対して、相殺処理後の代金精算の具体的な処理を行なう。
幹事金融機関６の管理サーバ７から各金融機関のホストコンピュータ９ａ，９ｂに対して送信する指示情報としては、相殺処理した後の相殺残金額と、支払先の金融機関を特定する情報、各金融機関に開設されている加盟店口座への振込支払指示として、振込先の加盟店口座番号と振り込む金額、などの情報である。
そして、各金融機関のホストコンピュータ９ａ，９ｂでは、幹事金融機関６の管理サーバ７から受信した指示情報に基づいて、他の金融機関に対する振込処理と、自社内に開設されている振込先の加盟店口座への振込処理が行なわれる。
【００１７】
本発明の実施形態に係る金券代金の支払処理方法の処理手順を、図２の説明図と、図３のフローチャート図に基づいて説明する。
この処理手順の説明では、第１加盟店が、第２金券発行元が発行した５０万円分の金券に対する金券情報を第２金券発行元に対して行ない、また一方で、第２加盟店が、第１金券発行元が発行した１００万円分の金券に対する金券情報を第１金券発行元に対して行なう場合とがあるという事例に基づいて説明を行なう。
尚、第１加盟店口座１０と第１金券発行元口座１１とが共に第１金融機関８ａにあり、また、第２加盟店口座１２と第２金券発行元口座１３とが共に第２金融機関８ｂにあるとする。
【００１８】
第１加盟店１ａは、第１加盟店端末２ａから第三者機関の管理サーバ５へ金券情報を送信する。（ステップＳ１）
この金券情報の内容としては、第１加盟店から第２金券発行元に対して金券代金として、第２金券発行元が発行した金券５０万円分の代金の支払いを請求するものである。
【００１９】
また、一方で、第２加盟店１ｂは、第２加盟店端末２ｂから第三者機関の管理サーバ５へ金券情報を送信する。（ステップＳ２）
この金券情報の内容としては、第２加盟店１ｂから第１金券発行元に対して金券代金として、第１金券発行元が発行した金券１００万円分の代金の支払いを請求するものである。
【００２０】
次に、第１加盟店端末２ａ及び第２加盟店端末２ｂから第三者機関の管理サーバ５が受信した各々の金券情報に基づいて、第１金融機関と第２金融機関の間での相殺処理が可能であるか否かの判定が行なわれる。（ステップＳ３）
相殺処理が可能である場合には、相殺処理後に精算すべきデータとして相殺精算データが生成される。（ステップＳ４）
【００２１】
上記の事例では、第１加盟店から第２金券発行元に対して５０万円の支払請求があり、また、第２加盟店１ｂから第１金券発行元に対して１００万円支払請求があったので、従来の方法のように、仮に相殺処理を行なうことなくそれらの支払請求に対する支払処理を行なう場合には、図４に示すように、第２金融機関８ｂの第２金券発行元口座１３から第１金融機関８ａにある第１加盟店口座１０に対して、５０万円の振込支払が行なわれ、更に、第１金融機関８ａの第１金券発行元口座１１から第２金融機関８ｂにある第２加盟店口座１２に対して、１００万円の振込支払が行なわれることで、それぞれの支払処理が行なわれていた。
【００２２】
しかしながら、第１金融機関８ａと第２金融機関８ｂとの間で、相互に５０万円と１００万円の支払処理が行なわれるのであるから、それらを相殺することで異なる金融機関同士の関係においては、第１金融機関８ａから第２金融機関８ｂに対して差し引き５０万円の支払を行なえばよいことになる。
したがって、第三者機関の管理サーバ５で生成された相殺精算データには、上記の相殺処理により、第１金融機関８ａから第２金融機関８ｂに対して差し引き５０万円の支払を行なうことと、第１金融機関８ａのホストコンピュータ９ａで第１金券発行元口座１１から第１加盟店口座１０に対して、５０万円の振込支払を行うこと、更に、第２金融機関８ｂのホストコンピュータ９ｂで第２券発行元口座１３から第２盟店口座１２対して、１００万円の振込支払を行うことの情報が含まれている。
尚、生成された相殺精算データに基づいて、異なる金融機関間での相殺処理が必要でない場合には、通常の支払処理が行なわれる。
【００２３】
次に、第三者機関の管理サーバ５から幹事金融機関６の管理サーバ７に対して、相殺精算データが送信される。（ステップＳ５）
幹事金融機関６の管理サーバ７は、第１金融機関８ａのホストコンピュータ９ａに対して相殺精算データに基づく処理を行なう。
この相殺精算データに基づく処理は、必要に応じて幹事金融機関６から各金融機関に対しての支払いや、各金融機関に対しての指示情報の送信などである。
上記の事例の場合には、幹事金融機関６の管理サーバ７から第１金融機関８ａのホストコンピュータ９ａに対し、指示情報として、幹事金融機関６へ５０万円の振込支払を行なう指示情報と、更に、第１金融機関８ａ内において、第１金券発行元口座１１から第１加盟店口座１０に対して５０万円の振込支払を行なう指示情報とを送信する。（ステップＳ６）
そして、第１金融機関８ａ内において、第１金券発行元口座１１から第１加盟店口座１０に対して５０万円の振込支払を行なう。（ステップＳ７）
【００２４】
また、幹事金融機関６の管理サーバ７から第２金融機関８ｂのホストコンピュータ９ｂに対し、指示情報として、第２金融機関８ｂ内において、第２金券発行元口座１３から第２加盟店口座１２に対して１００万円の振込支払を行なう指示情報とを送信する。（ステップＳ８）
そして、第２金融機関８ｂ内において、第２金券発行元口座１３から第２加盟店口座１２に対して１００万円の振込支払を行なう。（ステップＳ９）
【００２５】
また、第１金融機関８ａは、幹事金融機関６の管理サーバ７から受信した指示情報に基づいて、幹事金融機関６に対して５０万円の振込支払を行なう。（ステップＳ１０）
幹事金融機関６は、第１金融機関８ａから５０万円の振込支払を受けた後に、第２金融機関８ｂに対して５０万円の振込支払を行なう。（ステップＳ１１）
【００２６】
上記の一連の処理により、最終的に第１加盟店口座１０には、最初に支払請求した５０万円が入金され、また、第２加盟店口座１２には、最初に支払請求した１００万円が入金されることで金券代金の支払精算が完了する。
このように、本発明では、異なる金融機関の間での相殺処理や、相殺差額の支払処理を、全て幹事金融機関を介して行なうので、加盟店や金券発行元の口座を有する各金融機関は、多くの加盟店からの金券代金の支払請求への対応を効率的に行なうことができるようにしてある。
【図面の簡単な説明】
【００２７】
【図１】本発明の実施形態に係る金券代金の支払処理方法に関するシステム構成の概要を説明する図である。
【図２】本発明の実施形態に係る金券代金の支払処理方法の処理に関する説明図である。
【図３】本発明の実施形態に係る金券代金の支払処理方法の処理手順を示すフローチャート図である。
【図４】従来の支払処理方法について説明する図である。
【符号の説明】
【００２８】
１ａ  第１加盟店
１ｂ  第２加盟店
２ａ  第１の端末
２ｂ  第２の端末
３  通信回線
４  第三者機関
５，７  管理サーバ
６  幹事金融機関
８ａ  第１金融機関
８ｂ  第２金融機関
９ａ  第１金融機関のホストコンピュータ
９ｂ  第２金融機関のホストコンピュータ
１０  第１加盟店口座
１１  第１金券発行元口座
１２  第２加盟店口座
１３  第２の金券発行元口座
【図１】
2006285711.tif 000003
【図２】
2006285711.tif 000004
【図３】
2006285711.tif 000005
【図４】
2006285711.tif 000006